(57)【要約】【課題】特定の操作をすることなく、誤操作で作成中の通信文書情報が消去されても、その文書を復旧できるようにして、文書を作成し直す手間を省くことができるようにする。【解決手段】無線通信機能を有し、表示画面を有する表示手段１に通信文書情報作成画面を表示するとともに所定のキー入力操作に応じて無線通信に用いられる通信文書情報を作成する通信文書情報作成手段３０と、通信文書情報作成手段３０で作成された通信文書情報を記憶可能な通信文書情報記憶手段３１と、通信文書情報作成手段３１で作成中又は作成後の通信文書情報を、所定のタイミングで通信文書情報記憶手段３１に自動で記憶させる自動記憶実行手段３３とを備えた。【選択図】      図１
2009278153.tif 000002
【特許請求の範囲】
【請求項１】
表示画面を有する表示手段及び該表示手段に通信文書情報作成画面を表示するとともに所定のキー入力操作に応じて無線通信に用いられる通信文書情報を作成する通信文書情報作成手段を備える通信端末であって、
前記通信文書情報作成手段で作成された通信文書情報を記憶可能な通信文書情報記憶手段と、
前記通信文書情報作成手段で作成中又は作成後の通信文書情報を、所定のタイミングで前記通信文書情報記憶手段に自動で記憶させる自動記憶実行手段と、
を備えることを特徴とする通信端末。
【請求項２】
キー入力操作に基づく所定の入力値を検出する入力値検出手段を備え、
前記自動記憶実行手段が、前記入力値検出手段が検出した入力値に基づいて、前記通信文書情報記憶手段に通信文書情報を自動記憶させる請求項１記載の通信端末。
【請求項３】
前記入力値が、前記通信文書情報作成手段が作成する前記通信文書情報に含まれる文字数及び／又は句読点数で構成される請求項２記載の通信端末。
【請求項４】
前記入力値に対する任意の閾値を設定する閾値設定手段を備え、
前記自動記憶実行手段が、前記入力値が前記閾値と等しいか又は超えたときに動作を行なう請求項２又は３記載の通信端末。
【請求項５】
前記表示手段に所定の初期画面を表示させる初期表示モード及び前記通信文書情報作成手段で通信文書情報を作成する通信文書情報作成モードを含む二以上のモードのいずれかを、所定のキー入力操作に応じて設定するモード設定手段と、
前記モード設定手段が、前記通信文書情報作成モードを設定したときに、誤操作により前記初期表示モードが設定されたことを検知する誤操作検知手段とを備え、
前記自動記憶実行手段が、前記誤操作検知手段による誤操作の検知に基づいて動作する請求項１〜４のいずれか一項に記載の通信端末。
【請求項６】
前記表示手段に所定の初期画面を表示させる初期表示モード及び前記通信文書情報作成手段で通信文書情報を作成する通信文書情報作成モードを含む二以上のモードのいずれかを、キー入力操作に応じて設定するモード設定手段と、
前記モード設定手段が、前記通信文書情報作成モードを設定したときに、誤操作により前記初期表示モードが設定されたことを検知する誤操作検知手段とを備え、
前記誤操作検知手段が誤操作を検知した後で、再度、前記モード設定手段が通信文書情報作成モードを設定したときに、前記通信文書情報記憶手段に記憶された通信文書情報を読み込んで、当該読み込んだ通信文書情報を前記通信文書情報作成手段に反映する通信文書情報反映手段を備える請求項１〜５のいずれか一項に記載の通信端末。
【請求項７】
所定のキー入力操作により所定の信号を出力する入力部を備え、
前記入力部が、所定の文字を入力可能な一又は二以上の入力キーと、該入力キーの近傍に位置する終話キーとを備え、
前記モード設定手段が、前記終話キーの操作に応じて初期表示モードを設定可能とし、
前記誤操作検知手段が、前記終話キーの操作に基づいて誤操作を検知する請求項５又は６記載の通信端末。
【請求項８】
前記モード設定手段が、通信文書情報作成モードにおいて、前記終話キーの一度目の操作があったときに、前記表示手段に所定の警告表示を行なう警告手段を備え、前記警告手段による警告表示中に前記終話キーの二度目の操作があったときに初期表示モードを設定し、
前記誤操作検知手段が、前記二度目の終話キーの操作に基づいて誤操作を検知する請求項７記載の通信端末。
【請求項９】
表示画面を有する表示手段、該表示手段に文書作成画面を表示するとともに所定のキー入力操作に応じて通信文書情報を作成する通信文書情報作成手段及び該通信文書情報作成手段で作成された通信文書情報を記憶可能な通信文書情報記憶手段を備える通信端末の通信文書情報復旧可能化方法であって、
前記文書作成手段で作成中又は作成後の文書情報を、所定のタイミングで、前記通信文書情報記憶手段に自動で記憶させる自動記憶実行ステップを備えることを特徴とする通信文書情報復旧可能化方法。
【請求項１０】
キー入力操作に基づく所定の入力値を検出する入力値検出ステップを備え、
前記自動記憶実行ステップが、前記自動記憶実行手段が、前記入力値検出手段が検出した入力値に基づいて、前記通信文書情報記憶手段に通信文書情報を自動記憶させる請求項９記載の通信文書情報復旧可能化方法。
【請求項１１】
表示画面を有する表示手段及び該表示手段に文書作成画面を表示するとともに所定のキー入力操作に応じて通信文書情報を作成する通信文書情報作成手段を備える通信端末を、
前記通信文書情報作成手段で作成された通信文書情報を記憶可能な通信文書情報記憶手段、前記文書作成手段で作成中又は作成後の通信文書情報を、所定のタイミングで前記通信文書情報記憶手段に自動で記憶させる自動記憶実行手段、として機能させるための通信文書情報復旧可能化プログラム。
【請求項１２】
キー入力操作に基づく所定の入力値を検出する入力値検出手段として機能させるとともに、
前記自動記憶実行手段が、前記入力値検出手段が検出した入力値に基づいて、前記通信文書情報記憶手段に通信文書情報を自動記憶させるように機能させるための請求項１１記載の通信文書情報復旧可能化プログラム。
【発明の詳細な説明】
【技術分野】
【０００１】
本発明は、メール文書、メモ文書などの通信文書情報を作成可能な通信端末に関し、特に、誤操作により作成中の通信文書情報が消去される事態を防止する通信端末、通信端末の通信文書情報復旧可能化方法及び通信端末の通信文書情報復旧可能化プログラムに関する。
【背景技術】
【０００２】
一般に、携帯電話機などの通信端末において、例えば、所定の文書作成画面を表示した、メールモードから、待受画面などの初期画面を表示した待受モード（初期表示モード）を設定するときには、例えば、終話キーなどが用いられる。
ところで、このような通信端末においては、メールモードのときには、数字入力キーが文字の入力キーとしても用いられるとともに、文字を入力しているときに、数字入力キーの近傍にある終話キーを誤って操作してしまうことがあり、この場合には、それまでに作成した文書が保存されることなく、待受モードが設定されていた。
【０００３】
この種の誤消去を防止するための通信端末としては、一度目に終話キーが操作されたときには、表示画面中に、例えば、「文書作成を中止しますか？  はい／いいえ／保存する」などの作成、又は編集した文書に対する処理を選択する警告ウィンドウを表示し、ユーザに誤消去させないように促す技術を適用したものがある。
しかしながら、このウィンドウの表示中に終話キーを操作してしまうと、処理の選択を決定することなく待受モードとなってしまうので、ユーザーが終話キーを二度連続で操作してしまうと、警告ウィンドウの表示があるにもかかわらず作成した文書の誤消去を行なってしてしまうおそれがあった。しかも、ユーザは、終話キーを、待受モードとするために操作しているのでなく、文字を入力するつもりで操作しているので連続で操作されやすいので、誤消去が生じやすかった。
【０００４】
このような誤消去を防止する技術としては、例えば、特許文献１に記載の携帯電話機の技術が提案されている。
この特許文献１記載の携帯電話機は、操作ボタン群の複数の操作ボタン（数字入力キー）とロックスイッチを備えている。
各操作ボタンは、通話モード、メールモードなどの複数の動作モード毎に異なる操作機能が割り当てられている。
ロックスイッチは、操作によりロック位置又はアンロック位置に位置させられるもので、ロック位置では、オンフックボタン（終話キー）の操作を保留にし、アンロック位置では、オンフックボタンの操作を有効とする。
【０００５】
この携帯電話機は、ロックスイッチを、ロック位置にしてからメールモードを実行させると、メッセージなどの入力操作中に誤ってオンフックボタンが押下されても、オンフックボタンの操作を保留にするので、メールモードが終了することはない。
【０００６】
また、汎用のワードプロセッサ、文書作成ソフトを備えたコンピュータなどにおいて、エラーなどにより作成中の文書を復旧可能にする技術としては、例えば、特許文献２及び３の技術が提案されている。
この特許文献２及び３には、作成中の文書を、所定のタイミングで記憶する機能を備えており、文書の作成途中で停電などにより異常終了したときに、作成途中の文書を復旧することができるようにするワードプロセッサの技術が記載されている。
【０００７】
【特許文献１】特開２００７−１４２７５８号公報
【特許文献２】特開平０３−２１０６６２号公報
【特許文献３】特開平０６−３２５０２５号公報
【発明の開示】
【発明が解決しようとする課題】
【０００８】
しかしながら、特許文献１記載の携帯電話機にあっては、メール文書などの通信文書情報を作成するときに、逐一、ロックスイッチをロック位置に位置させる操作を行なわなければならず、この操作が煩雑であるという問題があった。
そのため、ユーザが、ロックスイッチをロック位置に位置させる操作をしない状態で、メール文書を作成しているときに、誤って終話キーを連続で二回操作してしまうと、作成中のメール文書が消去されてしまい、最初からメール文書を作成しなおさなければならなくなるという問題もあった。
また、誤操作により失った通信文書情報を復旧するために、作成途中の通信文書情報を記憶する通信端末の技術がなかった。
【０００９】
本発明は、以上のような従来の技術が有する問題を解決するために提案されたものであり、特定の操作をすることなく、誤操作で作成中の通信文書情報が消去されても、その文書を復旧できるようにして、文書を作成し直す手間を省くことができるようにした通信端末、通信端末の通信文書情報復旧可能化方法及び通信端末の通信文書情報復旧可能化プログラムの提供を目的とする。
【課題を解決するための手段】
【００１０】
上記目的を達成するため、本発明の通信端末は、表示手段を備え、所定の文書作成画面を表示して通信文書情報の作成を可能とする通信文書情報作成モードを含む二以上のモードのいずれかに遷移可能な通信端末であって、前記通信文書情報を記憶可能な通信文書情報記憶手段と、前記通信文書情報作成モードにおいて、所定のキー入力操作に応じて作成された通信文書情報を通信文書情報記憶手段に記憶させる手動記憶実行手段と、前記手動記憶実行手段の操作によらずに、前記通信文書情報作成モードにおいて、所定のタイミングで前記通信文書情報記憶手段に記憶させる自動記憶実行手段と、を備えている。
【００１１】
また、本発明の通信端末の通信文書情報復旧可能化方法は、表示手段を備え、所定の文書作成画面を表示して通信文書情報の作成を可能とする通信文書情報作成モードを含む二以上のモードのいずれかに遷移可能な通信端末の通信文書情報復旧可能化方法であって、前記通信文書情報作成モードにおいて、所定のキー入力操作に応じて作成された通信文書情報を通信文書情報記憶手段に記憶させる手動記憶実行手段の操作によらずに、所定のタイミングで通信文書情報を記憶可能な通信文書情報記憶手段に記憶させる自動記憶実行ステップを備えている。
【００１２】
また、本発明の通信端末の通信文書情報復旧可能化プログラムは、表示手段を備え、所定の文書作成画面を表示して通信文書情報の作成を可能とする通信文書情報作成モードを含む二以上のモードのいずれかに遷移可能な通信端末のコンピュータを、前記通信文書情報を記憶可能な通信文書情報記憶手段、前記通信文書情報作成モードにおいて、所定のキー入力操作に応じて作成された通信文書情報を通信文書情報記憶手段に記憶させる手動記憶実行手段、前記手動記憶実行手段の操作によらずに、前記通信文書情報作成モードにおいて、所定のタイミングで前記通信文書情報記憶手段に記憶させる自動記憶実行手段、として動作させる。
【発明の効果】
【００１３】
本発明の通信端末、通信端末の通信文書情報復旧可能化方法及び通信端末の通信文書情報復旧可能化プログラムによれば、特定の操作をすることなく、誤操作で作成中の通信文書情報が消去されても、その文書を復旧できるようになり、文書を作成し直す手間を省くことができる。
【発明を実施するための最良の形態】
【００１４】
以下、本発明に係る通信端末の好ましい実施形態について説明する。
以下の実施形態において通信端末は、無線通話機能及び無線通信機能を有する携帯電話機で構成されている。
【００１５】
［第一実施形態］
図１は、本発明の第一実施形態に係る携帯電話機を示すブロック図である。
図２は、本発明の各実施形態に係る携帯電話機を示す概略正面図である。
本実施形態の携帯電話機Ｓ１は、これらの図に示すように、表示画面を有する表示部１と、ユーザが操作することにより入力可能な入力部２と、入力部２の入力などにより所定の処理を行なう制御部３とを備えている。
【００１６】
表示部１は、例えば、所定画素の液晶や有機ＥＬなどの表示パネルなどにより構成されている。
入力部２は、通話キー２０、終話キー２１、数字入力キー群２２、十字キー２４、決定キー２５、メールキー２６などを備えている。
これらのキー２０〜２６は、ユーザに操作されることにより、所定の信号を制御部３に出力する。また、通話キー２０、終話キー２１などは、数字入力キー群２２の近傍に位置している。
【００１７】
制御部３は、例えば、ＣＰＵ、ＲＡＭ、メモリなどを有したマイクロプロセッサで構成されており、入力部２のキー操作などに応じて処理を行なうもので、処理に応じて表示部１に所定の画面を表示させている。
具体的には、制御部３は、表示部１に通信文書情報作成画面を表示するとともに所定のキー入力操作に応じて無線通信に用いられる通信文書情報を作成する通信文書情報作成手段と、通信文書情報作成手段で作成された通信文書情報を記憶可能な通信文書情報記憶手段と、通信文書情報作成手段で作成中又は作成後の通信文書情報を備えている。
【００１８】
本発明の通信文書情報作成手段は、メール作成部３０で構成されている。
メール作成部３０は、表示部１に所定の通信文書情報作成画面を表示するとともに、入力部２のキー入力操作に応じて通信文書情報を作成する。
本実施形態において、メール作成部３０が作成する通信文書情報は、例えば、電子メール及びショートメッセージなどのメールであり、ユーザの入力により作成されたメール文書本文、送信先の電子メールアドレスなどの宛先、送信する通信文書情報の件名、画像ファイルや動画ファイルなどの添付ファイルまでのパス情報などを含んでいる。
【００１９】
このメール作成部３０は、後述のモード設定部３２の設定により通信文書情報作成モードが設定されると、メール文書本文を入力するための入力欄１１３、宛先を入力するための宛先欄１１０、件名を入力するための件名欄１１１、添付ファイルのパス情報を入力するためのパス情報入力欄１１２とを備える選択画面１１を表示可能としている（図３（ｂ）等参照）。
また、メール作成部３０が、選択画面１１の各欄１１０〜１１３のいずれかを、十字キー２４及び決定キー２５を用いて、ユーザが選択することにより、選択した欄に対応する通信文書情報入力画面を表示する。
【００２０】
メール文書本文を入力するための通信文書情報作成画面１２、１３には、ユーザのキー操作に基づいて入力された文字列が表示される（図３（ｃ）（ｄ）参照）。
メール作成部３０は、作成された通信文書情報を、ユーザの操作によりメモリ格納部３１に記憶させることが可能である。
通信文書情報記憶手段は、例えば、マイクロプロセッサに内蔵される記憶装置やフラッシュメモリ、マイクロドライブなどの外部の記憶装置などの所定領域で構成されるメモリ格納部３１で構成されている。
【００２１】
また、所定のタイミングでメモリ格納部３１に自動で記憶させる自動記憶実行部３３を備えている。
自動記憶実行部３３は、キー操作に基づく所定の入力値を検出する入力値検出手段と、入力値に対する任意の閾値を設定する閾値設定手段を備えている。そして、自動記憶実行部３３は、入力値と閾値とが等しいか又は超えたときに動作を行なう。
【００２２】
本実施形態において、入力値は、メール文書本文の文字数で構成されている。そして、入力値検出手段は、メール文書本文の総文字数を検出する文字数検出部３３０で構成されている。また、閾値設定手段は、文字数設定部３３１でそれぞれ構成されている。
そして、自動記憶実行部３３は、文字数検出部３３０がメール作成部３０により作成されるメール文書本文の文字数を検出し、検出した文字数が、文字数設定部３３１で設定された所定の文字数（例えば、１００字など）と同じか又は超えたときに、メールの自動での記憶処理を行なう。本実施形態では、入力された文字数が、設定文字数以上であれば、自動での記憶動作を行なう。
【００２３】
また、制御部３は、表示部１に所定の初期画面を表示させる初期表示モード及びメール作成部３０でメールを作成する通信文書情報作成モードを含む二以上のモードのいずれかを、入力部２のキー入力操作に応じて設定するモード設定部３２を備えている。
ここでいう初期表示モードとは、いわゆる、待受画面を表示し、通話の発信、着信、メールの作成など種々の機能を発揮しない状態で待機する待受モードのことである。
また、通信文書情報作成モードとは、メール作成部３０によりメールの作成を行なうメールモードのことである。
【００２４】
また、モード設定部３２は、例えば、表示部１に各モードの欄やアイコンを有する一覧などのモード設定画面を表示した状態で、十字キー２４の操作によりカーソルをモードの欄やアイコンに移動可能に位置させるとともに、決定キー２５の操作により所定のモードの設定を行なう。
また、本実施形態において、モード設定部３２は、待受モードの状態でメールキー２６を操作することにより、メールモードを設定することも可能となっている。
また、モード設定部３２は、待受モード以外の各モードにおいて、終話キー２１の操作がなされると、待受モードを設定する機能を備えている。
【００２５】
また、モード設定部３２は、メールモードにおいて、終話キー２１の一度目の操作があったときに、表示部１に所定の警告表示を行なう警告部３２０を備えている。そして、モード設定部３２は、警告部３２０による警告表示の表示中に、終話キー２１の二度目の操作があったときに待受モードを設定する機能を備えている。
警告部３２０は、図３（ｆ）に示すように、警告表示として警告ウィンドウ１５０を表示部１に表示する。
警告ウィンドウ１５０は、モード設定部３２にメール作成を中止して待受モードを設定させる選択肢（符号１５１）、メールの作成を中止しないで続ける選択肢（符号１５２）、メモリ格納部３１に記憶する保存処理を行なってモード設定部３２に待受モードを設定させる選択肢（符号１５３）を含んでいる。
また、モード設定部３２は、この警告ウィンドウ１５０の表示中において、さらに終話キー２１が操作されると、メールモードを設定する機能を備えている。
【００２６】
また、モード設定部３２は、待受モード、メールモードの他にも、例えば、音声通話を行なう通話モードや、文字数設定部３３１を作動させて、これに閾値である文字数を設定させるなどの制御部３自体の各種設定を行なう設定モードなど種々のモードを選択可能となっている。
そして、制御部３は、モード設定部３２が設定したモードに応じて、例えば、数字入力キー群２２などのキーが、英字、ひらがななどを入力するキーとして機能させている。
【００２７】
本実施形態において、数字入力キー群２２によるひらがなの入力は、いわゆる、マルチタップ入力方式が用いられている。
すなわち、数字入力キー群２２は、「１」キーは、あ行の入力キー、「２」キーは、か行の入力キー、「３」キー（符号２２０）は、さ行の入力キー、「４」キーは、た行の入力キー、「５」キーは、な行の入力キー、「６」キーは、は行の入力キー、「７」キーは、ま行の入力キー、「８」キーは、や行の入力キー、「９」キーは、ら行の入力キー、「０」キーは、わ行の入力キーとしてそれぞれ用いられる。これらのひらがなとしての入力キーは、連続して操作されることにより、例えば、子音のａからｏ側に向けて入力する文字が現れる（「１」のキーであれば、このキーを押すごとに「あ→い→う→え→お→…」となる。）。
【００２８】
また、モード設定部３２がメールモードを設定している間に、誤操作により待受モードが設定されたことを検知する誤操作検知部３４を備えている。
詳しくは、誤操作検知部３４は、メールモードの選択中において、ユーザが終話キー２１を連続して操作したときに、誤作動を検知する。そして、誤操作検知部３４は、誤作動を検知すると、所定の記憶装置に、誤操作フラグを立てる処理を行なう。
【００２９】
また、誤操作検知部３４が誤操作を検知した後で、再度、モード設定部３２がメールモードを設定したときに、メモリ格納部３１に記憶されたメールを読み込むとともに、この読み込んだメールをメール作成部３０に反映する通信文書情報反映手段を備えている。
本実施形態において、通信文書情報反映手段は、記憶メール反映部３５で構成されている。記憶メール反映部３５は、誤操作検知部３４の処理により立てられる誤操作フラグを参照することにより誤操作の有無を判断する。記憶メール反映部３５は、誤操作フラグに基づいてメールを反映する処理を行なったときは、この誤操作フラグを解消する。
これらの制御部３の各部位は、マイクロプロセッサのＲＯＭに記憶され、ＣＰＵで実行されるプログラムで実現されている。
【００３０】
次に、以上のような構成からなる本実施形態の通信端末である携帯電話機Ｓ１の動作について、図４及び図５に示す制御部３のフローチャートを参照しつつ説明する。
まず、携帯電話機Ｓ１を起動すると、所定の初期化処理を行なう。この際、例えば、モード設定部３２が設定モードを設定することにより、文字数設定部３３１を作動させ、ユーザに、所定の文字数を入力させることにより、文字数の設定を行なう（Ｓ１−１）。
【００３１】
次に、モード設定部３２は、待受モードを選択し、ユーザの操作があるまで待機する（Ｓ１−２、Ｓ１−３Ｎｏ）。
この状態で、例えば、モード設定部３２は、ユーザのメールキー２６の操作などにより、メールモードを設定すると（Ｓ１−３Ｙｅｓ、Ｓ１−４Ｎｏ）、メール作成部３０にメールを作成するための処理を行なわせる（Ｓ１−６）。
【００３２】
メールモードの設定のときに、メール作成部３０は、表示部１にメール機能の選択画面１０の表示を行なう（図３（ａ）参照）。
次に、ユーザは、メールを作成するときは、新規作成の欄（符号１００）の選択、受信ボックス欄（符号１０１）を選択し、これに保存された受信メールに対する返信操作、送信ボックス（符号１０２）を選択し、既送信又は未送信メールの再編集操作を行なうことにより、メールの通信文書情報入力画面１１を表示する（図３（ｂ）参照）。
次に、ユーザは、メールの通信文書情報入力画面１１のそれぞれの項目（符号１１０〜１１３）に入力を行なう。
このうちメール文書本文の欄１１３が選択されると、表示部１にメール本文の入力画面１２が表示される（図３（ｃ）参照）。
この状態で、数字入力キー群２２の操作により文字入力があると入力画面１３上に入力した文字１３０が表示されるとともに（Ｓ２−１、図３（ｄ）参照）、文字数検知部３３０が文字数の検知を行なう（Ｓ２−２）。
【００３３】
文字数検知部３３０が検知した文字数が、文字数設定部３３１で設定された文字数未満のときは、自動記憶実行部３３は、自動記憶処理を行なわない（Ｓ２−３Ｎｏ）。
文字入力を繰り返すことにより（Ｓ２−５Ｎｏ、Ｓ２−１）、文字数検知部３３０が検知した文字数が、文字数設定部３３１で設定された文字数以上となったときは、自動記憶実行部３３が、作成中のメールをメモリ格納部３１に格納する（Ｓ２−４）。
【００３４】
次に、決定キー２５の操作などにより、メール本文１３０が確定されると、これの入力画面１３が終了され、通信文書情報入力画面１４が表示される（Ｓ２−５Ｙｅｓ、Ｓ２−６Ｎｏ、図３（ｅ）参照）。その後、ユーザが、所定の操作を行なうことにより、制御部３が、作成されたメールの送信や保存などの処理を行なう（Ｓ２−７）。そして、モード設定部３２が、待受モードを選択する（Ｓ１−２）。
【００３５】
一方、終話キー２１により終了操作があったときは（Ｓ２−５Ｙｅｓ、Ｓ２−６Ｙｅｓ）、モード設定部３２の警告部３２０が、警告ウィンドウ１５０を表示する（Ｓ２−８、図３（ｆ））。
そして、ユーザが、この警告ウィンドウ１５０に表示された選択肢１５１〜１５３を選択したときは、この選択に基づいて以下の処理を行なう。
【００３６】
「中止する」の選択肢（符号１５１）が選択されたときは（Ｓ２−１１ａ）、メール作成部３０が、作成中のメールを破棄し（Ｓ２−１２）、モード設定部３２が、待受モードを選択する（Ｓ１−２）。
また、「中止しない」の選択肢（符号１５２）が選択されたときは（Ｓ２−１１ｂ）、モード設定部３２の警告部３２０は、警告ウィンドウ１５０を消去し、再び、メール文書入力画面１３にもどる（図３（ｄ））。
また、「保存する」の選択肢（符号１５３）が選択されたときは（Ｓ２−１１ｃ）、メール作成部３０が、作成中のメールをメモリ格納部３１に記憶させ（Ｓ２−１３）、モード設定部３０が、待受モードを選択する（Ｓ１−２）。
【００３７】
一方、ユーザのメール本文の作成中において、例えば、ひらがなの「さ行」の入力のため、数字入力キー群２２の「３」（符号２２０）を連続で押そうとして、「３」キーの代わりに終話キー２１を二回以上操作するなどし、警告部３２０が警告ウィンドウ１５０を表示部１に表示した状態で（Ｓ２−６Ｙｅｓ、Ｓ２−８、図３（ｆ）参照）、さらに終話キー２１の操作があったときは（Ｓ２−９Ｙｅｓ）、以下の処理が行なわれる。
この場合、誤操作検知部３４が、誤操作を検知するとともに誤操作のフラグを立てる処理を行ない（Ｓ２−１０）、モード設定部３２が待受モードを設定する（Ｓ１−２）。
【００３８】
次に、例えば、ユーザがメールキー２６を操作するなどし、モード設定部３２がメールモードを設定すると、前回のメールモードのときに、誤操作検知部３４が、誤操作フラグを立てているので（Ｓ１−４Ｙｅｓ）、記憶メール反映部３５は、メモリ格納部３１から記憶されたメールを読み込んで、メール作成部３０に、これを反映する。
そして、メール作成部３０は、この読み込んだメールに基づくメール本文入力画面１３を表示部１に表示するとともに、誤操作フラグを解消する（Ｓ１−５、Ｓ１−６、図３（ｄ）参照）。
その後、携帯電話機Ｓ１は、上記と同様にしてユーザの所定の操作により、メールを宛先に送信する。
【００３９】
以上説明したように、本実施形態に係る携帯電話機Ｓ１（通信端末）によれば、メール作成部３０（通信文書情報作成手段）が作成したメール（通信文書情報）を、自動記憶実行部３３により所定のタイミングでメモリ格納部３１（通信文書情報記憶手段）に自動で記憶させられるので、作成中又は作成後のメールを、特定の操作をすることなく、消失させてしまう事態を防止できる。
そのため、携帯電話機Ｓ１は、文字を入力するためのキー２２０と終話キー２１とが隣接しており、例えば、文字入力を行なうつもりで終話キー２１を連続で二度を操作してしまうような誤操作で待受モードとなっても、メモリ格納部３１に格納されたメールを読み出すことにより、作成中のメールを復旧することができる。
これにより、携帯電話機Ｓ１は、メールを最初から作成し直す手間を省くことができ、ユーザに煩わしさを感じさせることなく所望のメールを完成及び送信を行なわせることができる。
【００４０】
また、自動記憶実行部３３は、文字数検知部３３０により、キー操作に基づいて入力されたメール本文の文字数を検知するとともに、この検知した文字数に基づいて記憶動作を行なうので、入力されたメールの文字数が所定の文字数となったときにメモリ格納部３１にメールを記憶させることができる。
そのため、自動記憶実行部３３が、メールの再作成にあまり支障がないような短い文のメールをメモリ格納部３１に記憶しなくなるので、途中でメールの作成をやめた余分なメールがメモリ格納部３１に記憶される事態を防止することができる。
また、入力したメール本文の文書が短いときには保存がなされないので、最初から入力し直したときよりも、かえって入力の手間がかかってしまう事態も防止することができる。
【００４１】
また、携帯電話機Ｓ１は、文字数設定部３３１を備えているので、自動記憶実行部３３によるメールの記憶するタイミングを、任意のタイミングとすることができる。そのため、自動記憶実行部３３による自動記憶処理を、ユーザの熟練度や頻繁に送るメール文書本文の長さに合わせて調整することができる。
【００４２】
また、誤操作検知部３４が、誤操作により待受モードが設定されたことを検知した後で、再度、モード設定部３２でメールモードを設定したときに、記憶メール反映部３５（通信文書情報反映手段）が、メモリ格納部３１に記憶されたメールを読み込むとともに、メールをメール作成部３０に反映した状態とするので、メモリ格納部３１から逐一読み出す操作の手間を省くことができる。
これにより、携帯電話機Ｓ１は、誤操作により待受モードとなったあとに、再度メールを作成するときの復旧操作を簡単にすることができる。
【００４３】
［第二実施形態］
次に、本発明に係る通信端末の第二実施形態について、図２及び図６を参照しつつ説明する。
図６は、本発明の第二実施形態にかかる通信端末を示すブロック図である。
同図に示すように、本実施形態の携帯電話機Ｓ２は、入力値検知手段が、メール文書本文中の句読点の数を検知する句読点数検知部３３２で構成され、閾値設定手段が、任意の句読点数を設定する句読点数設定部３３３で構成されている点で上記実施形態と異なる。
句読点数検知部３３２は、自動でメールをメモリ格納部３１に記憶させるたびに、検知した句読点数をリセットする機能を備えている。
そして、自動記憶実行部３３は、検知した句読点数が、句読点設定部３３３で設定された句読点数を超えるたびに、自動でメモリ格納部３１に格納されたメールを上書きして記憶させる。
従って、その他の構成部分は、第一実施形態と同様となっており、同様の構成部分については、図中で第一実施形態と同一符号を付し、詳細な説明は省略する。
【００４４】
次に、以上のような構成からなる本実施形態の携帯電話機Ｓ２の動作について、図４及び図７に示す制御部３のフローチャートを参照しつつ説明する。
まず、携帯電話機Ｓ２を起動すると、上記実施形態と同様に、所定の初期化処理を行なう（図４参照）。この際、句読点数設定部３３３に、予め、所定の句読点数を入力する（Ｓ１−１）。
次に、モード設定部３２は、待受モード状態からメールモードが設定されると、メール作成部３０が起動させられてメールの作成処理を行なう（Ｓ１−３Ｙｅｓ、Ｓ１−４Ｎｏ、Ｓ１−６）。
【００４５】
この際、メール作成部３０は、上記実施形態と同様に、ユーザの操作により、所定の（図３（ａ）参照）、メールの通信文書情報入力画面１１を表示し（図３（ｂ）参照）、ユーザに、メールの通信文書情報入力画面のそれぞれの項目に入力を行なうよううながす。
このうちメール文書本文を入力するときにおいて（図３（ｃ）参照）、文字入力があると（Ｓ３−１）、句読点数検知部３３２が句読点数を検知する（Ｓ３−２）。
【００４６】
句読点数検知部３３２が検知した句読点数が、句読点数設定部３３３で設定された句読点数未満のときは、自動記憶実行部３３は、自動記憶処理を行なわない（Ｓ３−３Ｎｏ）。
また、文字入力を繰り返すことにより（Ｓ３−５Ｎｏ、Ｓ３−１）、句読点数検知部３３２が検知した句読点数が、句読点数設定部３３３で設定された句読点数以上となったときは、自動記憶実行部３３が、作成中のメールを、メモリ格納部３１に格納するとともに、検知した句読点数をリセットする（Ｓ３−４）。そして、自動記憶実行部３３は、二回目以降の自動記憶処理においては、メモリ格納部３１に記憶されたメールを上書きして行なっていく。
【００４７】
次に、決定キー２５の操作などにより、メール本文が確定されるとメール本文の入力画面が終了され、その後、ユーザが、所定の操作を行なうことにより、メールの送信や保存などの処理がなされる（Ｓ３−５Ｙｅｓ、Ｓ３−６Ｎｏ、Ｓ３−７）。
一方、終話キー２１により終了操作があったときは、制御部３は、モード設定部３２の警告部３２０が、警告ウィンドウを表示するとともに、ユーザが、この警告ウィンドウに従って、いずれかの選択肢を選択したときは、この選択に基づいて上記実施形態と同様の処理を行なう（Ｓ３−９Ｎｏ、Ｓ３−１１〜Ｓ３−１３）。
【００４８】
一方、ユーザがメール本文の作成している間に、例えば、「３」キー２２０の代わりに終話キー２１を二回以上操作するなどし、警告部３２０が警告ウィンドウを表示部１に表示した状態で、さらに終話キー２１の操作があったときは（Ｓ３−６Ｙｅｓ、Ｓ３−８、Ｓ３−９Ｙｅｓ）、誤操作検知部３４が、誤操作を検知するとともに誤操作のフラグを立てる処理を行ない（Ｓ３−１０）、モード設定部３２が待受モードを設定する（Ｓ１−２）。
【００４９】
次に、モード設定部３２がメールモードを選択させられると、前回のメールモードのときに誤操作フラグが立てられているので（Ｓ１−４Ｙｅｓ）、記憶メール反映部３５が、メモリ格納部３１から記憶されたメールを読み込んで、メール作成部３０に、この読み込んだメールに基づくメール本文入力画面を表示させるとともに、誤操作フラグを解消する（Ｓ１−５、Ｓ１−６、図３（ｄ）参照）。その後、携帯電話機Ｓ２は、上記と同様にしてユーザの所定の操作により、メールを宛先に送信する。
【００５０】
以上説明したように、本実施形態に係る携帯電話機Ｓ２によれば、入力されたメール本文の句読点数に基づいて自動記憶実行部３３が、メールの自動記憶を実行しているので、メール本文が、句読点のある位置である文や節ごとに記憶されるようになり、文法上、区切りの良い位置でメールが自動で記憶される。これにより、復旧後に再びメールも、区切りが良い位置で復旧されるので、ユーザが、文や節の最初からメールを入力可能となり、再入力を容易に行なわせしめることができる。
【００５１】
また、自動記憶実行部３３が、設定された句読点数毎に自動記憶を行なうので、長文を入力するときや、何度も編集するようなときであっても、復旧後のメールが、誤操作直後に近い状態のメールを復旧することができる。そのため、携帯電話機Ｓ２は、ユーザの再入力の手間を省くことができる。
また、自動記憶実行部３３が、句読点数設定部３３３を備えているので、例えば、携帯電話機Ｓ２の操作に熟練したユーザの場合には、長文の入力が容易であることから設定句読点数を大きな値とし、初心者などの不慣れなユーザの場合には、設定句読点数を小さな値とすることができる。
【００５２】
このようにすると、携帯電話機Ｓ２は、熟練者は文字入力のキーの操作速度が速いことから、入力中において、自動記憶実行部３３の自動記憶処理のたびに、制御部３のハードウェアリソースが奪われることによる頻繁な文字入力動作の遅延が生じるおそれを低減されることができる。そのため、あまり、携帯電話機Ｓ２のハードウェア性能が低性能であっても、自動記憶処理が、ユーザの入力操作にあまり支障を生じさせることなく実現でき、製造コストを低減することができる。
【００５３】
携帯電話機Ｓ２は、設定句読点数の値を小さくすると、短期間ごとに自動記憶させることができ、復旧後のメールにおいて失われる部分が短くすることができる。特に、初心者は、長文入力が非常に煩雑であるが、頻繁な自動記憶により、仮に誤操作があっても、メールの再作成を容易に行なわせしめることができる。なお、初心者は、文字入力のキーの操作速度も遅いことから動作の遅延があっても、あまり、入力操作に支障がない。
なお、本実施形態において、入力値が、句読点である構成としたが、これに限定されるものでなく、例えば、改行の入力文字数や行数など他のものであってもよい。
【００５４】
［第三実施形態］
次に、本発明に係る通信端末の第三実施形態について、図２及び図８を参照しつつ説明する。
本実施形態の携帯電話機Ｓ３は、自動記憶実行部３３の動作条件が上述の実施形態と異なる。
具体的には、制御部３は、誤操作を検知する誤操作検知部３４、キー操作に基づく所定の入力値を検出する入力値検出部３３４及び任意の入力値を設定する入力値設定部３３５とを備え、自動記憶実行部３３が、誤操作検知部３４の誤操作の検知及び入力値検出部３３４により検知された入力値に基づいて動作する。
誤操作検知部３４は、上記実施形態と同様に、終話キー２１の連続操作により誤操作を検知する。
【００５５】
入力値検出部３３４は、入力値として、例えば、総文字数、句読点数、改行入力数など種々の値を用いる。本実施形態においては、入力値は、文字数で構成される。
また、入力値設定部３３５は、入力値として文字数を設定する。
従って、その他の構成部分は、上述の実施形態と同様となっており、同様の構成部分については、図中で上述の実施形態と同一符号を付し、詳細な説明は省略する。
【００５６】
次に、以上のような構成からなる本実施形態の携帯電話機Ｓ３の動作について、図４及び図９に示す制御部３のフローチャートを参照しつつ説明する。
まず、携帯電話機Ｓ３を起動すると、上記実施形態と同様に、制御部３が、初期化処理を行ない、また、入力値設定部３３４が、ユーザに任意の文字数を入力させるなどの所定の処理を行なう（図４参照、Ｓ１−１）。
また、上記と同様にして、モード設定部３２が、待受モード状態でメールモードが設定されると、メール作成部３０が起動させられる。そして、メール作成部３０が、表示部１に、メールの通信文書情報入力画面１１（図３（ｂ）参照）などを経て、メール文書本文の入力画面１２を表示させる（Ｓ１−２、Ｓ１−３Ｙｅｓ、Ｓ１−４Ｎｏ、Ｓ１−６、図３（ｂ）（ｃ）参照）。
【００５７】
この状態で、ユーザは、文字入力を行なう（Ｓ４−１、Ｓ４−５Ｎｏ）。
次に、決定キー２５の操作などにより、メール本文が確定されるとメール本文の入力が終了され、その後、ユーザが、所定の操作を行なうことにより、メールの送信や保存などの処理がなされる（Ｓ４−５Ｙｅｓ、Ｓ４−６Ｎｏ、Ｓ４−７）。
一方、終話キー２１により終了操作があったときは、制御部３は、モード設定部３２の警告部３２０が、警告ウィンドウを表示するとともに、ユーザが、この警告ウィンドウに従って、いずれかの選択肢を選択したときは、この選択に基づいて上記実施形態と同様の処理を行なう（Ｓ４−９Ｎｏ、Ｓ４−１１〜Ｓ４−１３）。
【００５８】
一方、ユーザのメール本文の作成中において、例えば、「３」キー２２０の代わりに終話キー２１を二回以上操作するなどし、警告部３２０が警告ウィンドウを表示部１に表示した状態で、さらに終話キー２１の操作があったときは（Ｓ４−６Ｙｅｓ、Ｓ４−８、Ｓ４−９Ｙｅｓ）、誤操作検知部３４が、誤操作を検知し、自動記憶実行部３３に以下の処理を行なわせる。
自動記憶実行部３３は、入力値検出部３３４が検知した文字数が、入力値設定部３３５で設定された文字数以上のとき（Ｓ４−３Ｙｅｓ）、メールをメモリ格納部３１に記憶させる（Ｓ４−４）。また、誤操作検知部３４は、誤操作のフラグを立てる処理を行ない（Ｓ４−１０）、モード設定部３２が、待受モードを設定する（Ｓ１−２）。
【００５９】
次に、モード設定部３２がメールモードを設定すると、前回のメールモードのときに誤操作フラグが立てられているので（Ｓ１−４Ｙｅｓ）、記憶メール反映部３５が、メモリ格納部３１から記憶されたメールを読み込んで、メール作成部３０に、この読み込んだメールに基づくメール本文入力画面１３を表示させるとともに、誤操作フラグを解消する（Ｓ１−５、Ｓ１−６、図３（ｄ）参照）。その後、携帯電話機Ｓ３は、上記と同様にしてユーザの所定の操作により、メールを宛先に送信する。
【００６０】
また、自動記憶実行部３３は、入力値検出部３３４が検知した文字数が、入力値設定部３３５で設定された文字数未満のとき（Ｓ４−３Ｎｏ）、メールを保存しない。そして、メール作成部３０は、メールを破棄し（Ｓ４−１２）、モード設定部３２が待受モードを設定する（Ｓ１−２）。
【００６１】
以上説明したように、本実施形態に係る携帯電話機Ｓ３によれば、誤操作検知部３４が誤操作を検知したときに、メール作成部３０で作成されたメールがメモリ格納部３１に記憶されるので、誤操作を検知したとき以外には、自動記憶実行部３３が、自動記憶処理を行なわせないようにすることができる。
このようにすると、メール文書本文の作成中において自動記憶実行部３３にハードウェアリソースを割り振らなくてもよくなる。そのため、制御部３のマイクロプロセッサが、入力処理などの処理の遅延を生じにくくなり、ユーザの操作性を向上させることができる。
【００６２】
また、誤操作検知部３４が誤操作を検知しても、入力値検出部３３４が検知した入力値が入力値設定部３３５で設定した値未満のときに、単に、終話キー２１を二回操作するだけでメールをメモリ格納部３１に記憶させることなく待受モードとすることができる。そのため、終話キー２１の二回操作のたびに、余分なメールがメモリ格納部３１に記憶されにくくできる。
【００６３】
なお、上記各実施形態において、誤操作検知部３４が、終話キー２１が二度操作されたときはいずれも誤操作と判定するようにしたが、一度目の終話キー２１の操作と、二度目の終話キー２１の操作の時間間隔に基づいて、誤操作であるか否かを判定する機能を備える構成としてもよい。この判定機能は、「３」キー２２０の押し間違いであれば、終話キー２１の入力速度が速く操作される場合が多いことから、時間間隔で誤操作であるか否かの判定できるのである。
【００６４】
このような構成からなる携帯電話機Ｓ１〜Ｓ３において、モード設定部３２が、メールモード設定の設定中に、モード設定部３２にメールの作成をやめて待受モードを設定させたいときには、ユーザは、所定の時間間隔をあけて終話キー２１を二回操作するだけでよい。
これにより、例えば、警告ウインドウの選択肢を十字キー２４や決定キー２５の操作などで選択することにより、メール作成を中止する場合に比較して、簡単な操作で待受モードとすることができる。
また、携帯電話機Ｓ１〜Ｓ３は、終話キー２１の二回操作のたびに、余分なメールがメモリ格納部３１に記憶されにくくすることができる。
【００６５】
以上、本発明の携帯端末装置について、好ましい実施形態を示して説明したが、本発明に係る装置は、上述した実施形態にのみ限定されるものではなく、本発明の範囲で種々の変更実施が可能であることは言うまでもない。
例えば、上述の各実施形態の通信端末を組み合わせた構成としてもよい。
また、上述の実施形態において、通信端末が、携帯電話機である構成としたがこれに限定されるものでなく、有線電話機、有線電話機に用いられるいわゆるコードレスフォン及び携帯情報端末（ＰＤＡ）など、通信機能及び通信文書情報作成機能を有する通信端末であればどのようなものであってもよい。
【００６６】
また、ひらがなのキー入力が、マルチタップ入力方式である構成としたが、ポケベル入力方式、Ｔ９入力方式などの他の入力方式であってもよい。
また、通信文書情報作成手段は、メールを作成するメール作成部に限定されるものでなく、Ｗｅｂ掲示板の入力欄などのその他の通信文書情報に適用してもよい。また、メモなどの通常の文書入力に適用してもよい。
また、第三実施形態において自動記憶実行部が、誤操作検知及び入力値検知に基づいて自動記憶処理を行なう構成としたが、誤操作検知のみであってもよく適宜設計変更して差支えない。
【産業上の利用可能性】
【００６７】
本発明は、通信機能及び通信文書情報作成機能を有した、例えば、携帯電話機、有線電話機、コードレスフォン、ＰＤＡなどの通信端末に利用することができる。
【図面の簡単な説明】
【００６８】
【図１】本発明の第一実施形態に係る通信端末を示すブロック図である。
【図２】本発明の各実施形態に係る通信端末を示す正面図である。
【図３】本発明の各実施形態に係る通信端末の表示部に表示される画面を示す図である。
【図４】本発明の各実施形態に係る通信端末の制御部の動作を示すフローチャート図である。
【図５】本発明の第一実施形態に係る通信端末において、制御部のメール作成処理の動作を示すフローチャート図である。
【図６】本発明の第二実施形態に係る通信端末を示すブロック図である。
【図７】本発明の第二実施形態に係る通信端末において、制御部のメール作成処理の動作を示すフローチャート図である。
【図８】本発明の第三実施形態に係る通信端末を示すブロック図である。
【図９】本発明の第三実施形態に係る通信端末において、制御部のメール作成処理の動作を示すフローチャート図である。
【符号の説明】
【００６９】
Ｓ１〜Ｓ３  携帯電話機
１  表示部
１０〜１５  表示画面
２  入力部
２１  終話キー
２２  数字入力キー群
２６  メールキー
３  制御部
３０  メール作成部
３１  メモリ格納部
３２  モード設定部
３２０  警告部
３３  自動記憶実行部
３３０  文字数検出部
３３１  文字数設定部
３３２  句読点数検出部
３３３  句読点数設定部
３３４  入力値検出部
３３５  入力値設定部
３４  誤操作検知部
３５  記憶メール反映部
【図１】
2009278153.tif 000003
【図２】
2009278153.tif 000004
【図３】
2009278153.tif 000005
【図４】
2009278153.tif 000006
【図５】
2009278153.tif 000007
【図６】
2009278153.tif 000008
【図７】
2009278153.tif 000009
【図８】
2009278153.tif 000010
【図９】
2009278153.tif 000011